(57)【要約】【課題】  自動車の開閉体に設けられたエアスポイラーと隣接部材との間に形成される隙間から車体表面が見えるのを防止する。【解決手段】  自動車の車体開口部１３を開閉する開閉体１４に設けられるエアスポイラー１８はインナー部材２０およびアウター部材１９を結合して構成され、インナー部材１９はエアスポイラー１８に隣接する隣接部材１７の端縁に向かって延出する延出部２０ｄを有するので、延出部２０ｄによりアウター部材１９および隣接部材１７間の隙間αから車体表面が見えるのを確実に防止して美観を高めることができ、しかも隙間αを塞ぐための特別の部材を必要としないためにコストの増加を最小限に抑えることができる。【選択図】        図２
2020158029.tif 000002
【特許請求の範囲】
【請求項１】
自動車の車体開口部（１３）を開閉する開閉体（１４）にエアスポイラー（１８）を設けた自動車の車体構造であって、
前記エアスポイラー（１８）はインナー部材（２０）およびアウター部材（１９）を結合して構成され、前記インナー部材（２０）は前記エアスポイラー（１８）に隣接する隣接部材（１７）の端縁に向かって延出する延出部（２０ｄ）を有することを特徴とする自動車の車体構造。
【請求項２】
前記延出部（２０ｄ）は車体外方側から見て前記隣接部材（１７）の端縁の車体内方側にオーバーラップすることを特徴とする、請求項１に記載の自動車の車体構造。
【請求項３】
前記延出部（２０ｄ）の外面の表面粗さは前記アウター部材（１９）の外面の表面粗さよりも粗いことを特徴とする、請求項１または請求項２に記載の自動車の車体構造。
【請求項４】
前記延出部（２０ｄ）の外面の色は、前記アウター部材（１９）の外面の色または前記隣接部材（１７）の外面の色と略同じであることを特徴とする、請求項１〜請求項３の何れか１項に記載の自動車の車体構造。
【請求項５】
前記延出部（２０ｄ）は前記インナー部材（２０）の他の部分よりも車体内方側にあることを特徴とする、請求項１〜請求項４の何れか１項に記載の自動車の車体構造。
【発明の詳細な説明】
【技術分野】
【０００１】
本発明は、自動車の車体開口部を開閉する開閉体にエアスポイラーを設けた自動車の車体構造に関する。
【背景技術】
【０００２】
自動車のリフトゲート（テールゲート）の上部に設けられたスポイラーの縁部と、スポイラーに隣接するサイドアウターパネルの化粧面の縁部との間に隙間が形成されていると、車体内側に折り曲げられたサイドアウターパネルの一部が前記隙間を通して見えてしまい、美観を損ねる問題がある。
【０００３】
下記特許文献１に記載されたものは、前記隙間に臨むスポイラー６の車幅方向側端部６ａを車体内側に直角に折り曲げ、この車幅方向側端部６ａで車体外部からの視線を遮って前記サイドアウターパネル１０の一部を見え難くすることで、スポイラー６およびサイドアウターパネル１０の合わせ部１２の美観の低下を防止するようになっている。
【先行技術文献】
【特許文献】
【０００４】
【特許文献１】特開２０１５−１８９３１６号公報
【発明の概要】
【発明が解決しようとする課題】
【０００５】
ところで、上記従来のものは、視線の方向がスポイラー６の車幅方向側端部６ａと交差する場合には隙間の奥のサイドアウターパネル１０の一部が見え難くなるが、視線の方向がスポイラー６の車幅方向側端部６ａと平行であると隙間の奥のサイドアウターパネル１０の一部が見えてしまい、美観の低下を充分に防止できないという問題があった。
【０００６】
このような問題を解決するために、スポイラーの縁部にラバーリップや成形ラバーを取り付けてサイドアウターパネルの化粧面との間の隙間を塞ぐことが考えられるが、そのためにはラバーリップや成形ラバーのような特別の部材が必要になってコストアップの要因となるだけでなく、ラバーリップや成形ラバーが経年劣化でひび割れたり変形したりする可能性がある。
【０００７】
本発明は前述の事情に鑑みてなされたもので、自動車の開閉体に設けられたエアスポイラーと隣接部材との間に形成される隙間から車体表面が見えるのを防止することを目的とする。
【課題を解決するための手段】
【０００８】
上記目的を達成するために、請求項１に記載された発明によれば、自動車の車体開口部を開閉する開閉体にエアスポイラーを設けた自動車の車体構造であって、前記エアスポイラーはインナー部材およびアウター部材を結合して構成され、前記インナー部材は前記エアスポイラーに隣接する隣接部材の端縁に向かって延出する延出部を有することを特徴とする自動車の車体構造が提案される。
【０００９】
また請求項２に記載された発明によれば、請求項１の構成に加えて、前記延出部は車体外方側から見て前記隣接部材の端縁の車体内方側にオーバーラップすることを特徴とする自動車の車体構造が提案される。
【００１０】
また請求項３に記載された発明によれば、請求項１または請求項２の構成に加えて、前記延出部の外面の表面粗さは前記アウター部材の外面の表面粗さよりも粗いことを特徴とする自動車の車体構造が提案される。
【００１１】
また請求項４に記載された発明によれば、請求項１〜請求項３の何れか１項の構成に加えて、前記延出部の外面の色は、前記アウター部材の外面の色または前記隣接部材の外面の色と略同じであることを特徴とする自動車の車体構造が提案される。
【００１２】
また請求項５に記載された発明によれば、請求項１〜請求項４の何れか１項の構成に加えて、前記延出部は前記インナー部材の他の部分よりも車体内方側にあることを特徴とする自動車の車体構造が提案される。
【００１３】
なお、実施の形態のテールゲート１４は本発明の開閉体に対応し、実施の形態のピラーガーニッシュ１７は本発明の隣接部材に対応し、実施の形態のテールゲートスポイラー１８は本発明のエアスポイラーに対応する。
【発明の効果】
【００１４】
請求項１の構成によれば、自動車の車体開口部を開閉する開閉体に設けられるエアスポイラーはインナー部材およびアウター部材を結合して構成され、インナー部材はエアスポイラーに隣接する隣接部材の端縁に向かって延出する延出部を有するので、延出部によりアウター部材および隣接部材間の隙間から車体表面が見えるのを確実に防止して美観を高めることができ、しかも隙間を塞ぐための特別の部材を必要としないためにコストの増加を最小限に抑えることができる。
【００１５】
また請求項２の構成によれば、延出部は車体外方側から見て隣接部材の端縁の車体内方側にオーバーラップするので、アウター部材および隣接部材間の隙間から車体表面を完全に覆い隠して美観を一層高めることができる。
【００１６】
また請求項３の構成によれば、延出部の外面の表面粗さはアウター部材の外面の表面粗さよりも粗いので、延出部で光が乱反射することで延出部がアウター部材と比較して目立ち難くなり、よってアウター部材および隣接部材間の隙間を目立ち難くすることができる。
【００１７】
また請求項４の構成によれば、延出部の外面の色は、アウター部材の外面の色または隣接部材の外面の色と略同じであるので、延出部がアウター部材または隣接部材と連続して見えるようになって目立ち難くなり、よってアウター部材および隣接部材間の隙間を目立ち難くすることができる。
【００１８】
また請求項５の構成によれば、延出部はインナー部材の他の部分よりも車体内方側にあるので、延出部に補強リブの機能を持たせてエアスポイラーの剛性を高めることができるだけでなく、開閉体を開いたときに延出部が隣接部材の端縁と干渉するのを防止することができる。
【図面の簡単な説明】
【００１９】
【図１】自動車の車体後部の斜視図である。
【図２】図１の２−２線拡大断面図である。
【発明を実施するための形態】
【００２０】
以下、図１および図２に基づいて本発明の実施の形態を説明する。
【００２１】
図１および図２に示すように、自動車のパノラマルーフを構成するルーフガラス１１の後縁およびサイドアウターパネル１２の後縁に沿って形成された車体開口部１３にテールゲート１４が配置される。上半部にリヤウインドシールド１５が装着されたテールゲート１４は、その上縁に沿って車幅方向に延びるヒンジ軸まわりに上下方向に回動し、車体開口部１３を開閉する。ルーフガラス１１の側縁およびサイドアウターパネル１２の上縁に沿ってルーフサイドレール（不図示）が前後方向に延びており、ルーフサイドレールの外面が前後方向に延びる合成樹脂製のピラーガーニッシュ１７で覆われるとともに、テールゲート１４の上縁に沿って車幅方向に延びる合成樹脂製のテールゲートスポイラー１８が設けられる。ピラーガーニッシュ１７の後端とテールゲートスポイラー１８の車幅方向外端とは、溝状の隙間αを介して接続している。
【００２２】
図２に示すように、中空閉断面のテールゲートスポイラー１８は、車体外方に位置するアウター部材１９および車体内方に位置するインナー部材２０の前側の平板部１９ａ，２０ａを振動溶着２１により結合し、かつアウター部材１９およびインナー部材２０の後側の膨大部１９ｂ，２０ｂを振動溶着２２により結合して構成される。テールゲートスポイラー１８は、テールゲート１４の本体部を構成するテールゲートパネル２３にクリップ等の手段で固定される。
【００２３】
ピラーガーニッシュ１７の後端には車体内向きに延びる取付ブラケット１７ａが設けられており、この取付ブラケット１７ａがサイドアウターパネル１２の取付部１２ａに重ね合わされてボルト２４およびナット２５で締結される。
【００２４】
ピラーガーニッシュ１７の後端とテールゲートスポイラー１８のアウター部材１９の前端とは面一に整列し、それらの間に前記隙間αが形成される。テールゲートスポイラー１８のインナー部材２０の前部には、車体内向きに屈曲する段部２０ｃと、段部２０ｃの先端から前方に延びてピラーガーニッシュ１７の後端の車幅方向内側に僅かにオーバーラップする延出部２０ｄとが形成される。
【００２５】
合成樹脂製のピラーガーニッシュ１７およびテールゲートスポイラー１８のアウター部材１９の化粧面である外表面は例えば黒色に塗装されているが、テールゲートスポイラー１８のインナー部材２０の段部２０ｃおよび延出部２０ｄが隙間αに臨む面は無塗装であり、例えば黒色の合成樹脂の肌のままである。よって、テールゲートスポイラー１８のインナー部材２０の段部２０ｃおよび延出部２０ｄが隙間αに臨む面の面粗度は、テールゲートスポイラー１８のアウター部材１９の外表面の面粗度よりも粗くなっている。
【００２６】
次に、上記構成を備えた本発明の実施の形態の作用を説明する。
【００２７】
相互に隣接して配置されるピラーガーニッシュ１７およびテールゲートスポイラー１８の対向端部間には隙間αが形成されるため、車体外部から見たときに、ピラーガーニッシュ１７およびテールゲートスポイラー１８に覆われたサイドアウターパネル１２の一部の塗色が隙間αを通して見えてしまい、美観を損なう問題がある。特に、サイドアウターパネル１２の塗色が白色のような明るい色の場合、隙間αがより目立つために美観を著しく損ねる可能性がある。
【００２８】
しかしながら、本実施の形態によれば、テールゲートスポイラー１８のインナー部材２０の延出部２０ｄが段部２０ｃの先端から隙間αを横切るようピラーガーニッシュ１７の端縁に向かって延びているため、この延出部２０ｄでサイドアウターパネル１２の一部を覆って視線を遮ることで、サイドアウターパネル１２の塗色が隙間αを通して車体外部から見え難くして美観を高めることができる。このとき、隙間αをラバーリップや成形ラバーで埋めると、ラバーリップや成形ラバーのような特別な部材が必要になってコストが増加するが、本実施の形態によれば、インナー部材２０に段部２０ｃおよび延出部２０ｄを一体に形成するだけなので、コストの増加が最小限に抑えされる。
【００２９】
特に、隙間αを車体外方側から見たとき、インナー部材２０の延出部２０ｄはピラーガーニッシュ１７の端縁の車体内方側にオーバーラップするので、隙間αを通る視線を延出部２０ｄで完全に遮り、サイドアウターパネル１２の塗色を覆い隠して美観を一層高めることができる。延出部２０ｄの色は塗装されたアウター部材１９の色と略同じであり、しかも無塗装の延出部２０ｄの外面の表面粗さは、塗装されたアウター部材１９の外面の表面粗さよりも粗いので、表面が粗い延出部２０ｄで光が乱反射することで延出部２０ｄがアウター部材１９と比較して目立ち難くなる。その結果、アウター部材１９およびピラーガーニッシュ１７間の隙間αを目立ち難くして美観を一層高めることができる。
【００３０】
またテールゲートスポイラー１８の後部は、アウター部材１９およびインナー部材２０の膨大部１９ｂ，２０ｂによって上下方向厚さが大きくなって剛性が増加するが、テールゲートスポイラー１８の前部は、平板部１９ａ，２０ａの位置で上下方向厚さが小さくなって剛性が減少してしまう。しかしながら、本実施の形態によれば、インナー部材２０の前端部に形成された段部２０ｃおよび延出部２０ｄにより曲げ荷重に対して抵抗力があるクランク状の断面が構成されることで、テールゲートスポイラー１８の前部の剛性が高められる。
【００３１】
さらに、インナー部材２０の平板部２０ａに対して延出部２０ｄは段部２０ｃを介して車体内方側に変位し、ピラーガーニッシュ１７の端縁に対して車体内方側に回り込んでいるので、ヒンジ軸まわりにテールゲート１４を上方に開いたときに、延出部２０ｄがピラーガーニッシュ１７の端縁と干渉するのを防止することができる。
【００３２】
以上、本発明の実施の形態を説明したが、本発明はその要旨を逸脱しない範囲で種々の設計変更を行うことが可能である。
【００３３】
例えば、本発明の開閉体は実施の形態のテールゲート１４に限定されるものではない。      
【００３４】
また本発明の隣接部材は実施の形態のピラーガーニッシュ１７に限定されるものではなく、例えばサイドアウターパネル１２でも良く、ルーフガラス１１等でも良い。
【００３５】
また本発明のエアスポイラーは実施の形態のテールゲートスポイラー１８に限定されるものではない。
【００３６】
またアウター部材１９の延出部２０ｄの外面の表面粗さをアウター部材１９のその他の外面の表面粗さよりも粗くするために、実施の形態では延出部２０ｄの外面を無塗装とし、その他の外面を塗装しているが、表面粗さに差を持たせる手段は任意である。
【００３７】
またテールゲート１４やピラーガーニッシュ１７の材質は合成樹脂に限定されるものではない。
【００３８】
またテールゲート１４、ピラーガーニッシュ１７およびサイドアウターパネル１２の色は任意である。
【符号の説明】
【００３９】
１３        車体開口部
１４        テールゲート（開閉体）
１７        ピラーガーニッシュ（隣接部材）
１８        テールゲートスポイラー（エアスポイラー）
１９        アウター部材
２０        インナー部材
２０ｄ      延出部
【図１】
2020158029.tif 000003
【図２】
2020158029.tif 000004